(57)【要約】【課題】スプリットリングを用いることなくフックを取り付けることが可能であり、水の抵抗が軽減され、しかもフックの脱着が容易なフック連結構造を有するルアーを提供する。【解決手段】ルアー本体２と、ルアー本体に設けられた釣糸接続部４と、ルアー本体に設けられフックを連結するためのフック連結部材５とを備える。フック連結部材は、ルアー本体に固定された固定部９と、フックと連結可能なようにルアー本体から露出した連結部１０とを備える。連結部は、線材により形成された一対の端部が相互に重なり合った二重構造部を含み、二重構造部における線材相互の間隔を広げてフックと連結させることが可能である。【選択図】  図１
2004305053.tif 000002
【特許請求の範囲】
【請求項１】
ルアー本体と、前記ルアー本体に設けられた釣糸接続部と、前記ルアー本体に設けられフックを連結するためのフック連結部材とを備えたルアーにおいて、
前記フック連結部材は、前記ルアー本体に固定された固定部と、前記フックと連結可能なように前記ルアー本体から露出した連結部とを備え、前記連結部は、一対の線材端部が相互に重なり合った二重構造部を含み、前記二重構造部における一方の前記線材の先端と他方の前記線材の側面の間隔を広げて前記フックと連結させることが可能であることを特徴とするルアー。
【請求項２】
前記連結部は、少なくとも前記二重構造部において、円環、楕円環、長円環、または多角形環の形状の一部分である部分環の形状を有する請求項１に記載のルアー。
【請求項３】
前記連結部の二重構造部に、前記部分環の形状から外方に突出した突出部を有する請求項２に記載のルアー。
【請求項４】
前記連結部の二重構造部に、前記部分環を含む平面から突出した突出部を有する請求項２に記載のルアー。
【請求項５】
前記固定部は、前記連結部を形成する線材が前記二重構造部の後方に延ばされて形成され、円環、楕円環、長円環、または多角形環の形状の一部分である部分環の形状を有する請求項１または２に記載のルアー。
【請求項６】
前記固定部は、前記連結部を形成する線材が前記二重構造部の後方に延ばされて形成され、前記線材が横方向に屈曲して張り出した形状を有する請求項１または２に記載のルアー。
【請求項７】
前記連結部は、前記部分環を含む面が前記ルアー本体の前後方向に平行または直交するように配置されている請求項１または２に記載のルアー。
【発明の詳細な説明】
【０００１】
【発明の属する技術分野】
本発明は、魚釣り用ルアーに関する。さらに詳しくは、フックを取り付けるための、フック取り付け部材の改良に関する。
【０００２】
【従来の技術】
淡水魚であるブラックバスなどの大型肉食魚を釣るためには、従来からルアーが使用されている。同様に海釣りにおいてもルアーはよく使用されている。近年のスポーツ釣りとか釣り競技などにおいては、ルアーを用いた釣りは重要な位置を占めている。
【０００３】
従来の、例えば特許文献１に記載されたルアーは、図１０に示されるような構造を有する。図１０は従来のブラックバス釣り用ルアーの側面図である。全体が小魚の形をしたルアー２１は、魚の胴体部分に相当するルアー本体２２と、水を切るために先端部に形成されているリップ２３とを有する。リップ２３の根元部には、釣り糸（道糸）を接続するための釣糸接続用環部２４が固定されている。ルアー本体２２のほぼ中央の腹の位置と尾の位置には、フック接続用環部２５、２６が固定されている。フック接続用環部２５、２６にはそれぞれ、三本針（錨針）からなるフック２７、２８が連結されている。
【０００４】
フック２７は連結のための環状部２９を有し、その環状部２９とフック接続用環部２５とは、スプリットリング３０を介して連結されている。フック２８の連結構造も同様である。
【０００５】
【特許文献１】
特開２００１−１０３８７１号公報
【０００６】
【発明が解決しようとする課題】
しかしながら、上記従来のルアーは、スプリットリング３０が水の抵抗を増大させ、ルアーの動きを鈍くしていた。またスプリットリング３０の重さも、ルアーの動きを鈍くする要因となっていた。スプリットリング３０を用いずに、環状のヒートンをルアー本体にねじ込む構造のものも知られているが、フックの脱着に手間がかかり、操作性が良くなかった。
【０００７】
本発明は、スプリットリングを用いることなくフックを取り付けることが可能であり、水の抵抗が軽減され、しかもフックの脱着が容易なフック連結構造を有するルアーを提供することを目的とする。
【０００８】
【課題を解決するための手段】
本発明のルアーは、ルアー本体と、前記ルアー本体に設けられた釣糸接続部と、前記ルアー本体に設けられフックを連結するためのフック連結部材とを備える。前記フック連結部材は、前記ルアー本体に固定された固定部と、前記フックと連結可能なように前記ルアー本体から露出した連結部とを備える。前記連結部は、一対の線材端部が相互に重なり合った二重構造部を含み、前記二重構造部における一方の前記線材の先端と他方の前記線材の側面の間隔を広げて前記フックと連結させることが可能である。
【０００９】
【発明の実施の形態】
本発明のルアーは、フック連結部材の連結部に、一対の線材端部が相互に重なり合った二重構造部を含むことが特徴である。その二重構造部により、スプリットリングを用いることなくフックを連結することが可能である。したがって、水の抵抗がスプリットリングに対する分だけ軽減され、しかもフックの脱着が容易である。
【００１０】
連結部は、少なくとも二重構造部において、円環、楕円環、長円環、または多角形環の形状の一部分である部分環の形状を有する構造とすることができる。また、好ましくは、二重構造部に、部分環の形状から外方に突出した突出部を有する。それにより、環の内側に小さな凹部が形成され、ここにフックが位置決めされる。または、連結部の二重構造部に、部分環を含む平面から突出した突出部を有する構成としてもよい。それにより、環の側部に凹部が形成され、ここにフックが位置決めされる。突出部を設ける二重構造部の位置は、用途に応じて適宜決めることができる。また、突出部の個数も適宜設定可能である。
【００１１】
固定部は、連結部を形成する線材が二重構造部の後方に延ばされて形成され、円環、楕円環、長円環、または多角形環の形状の一部分である部分環の形状を有する構造とすることができる。あるいは、前記固定部は、連結部を形成する線材が二重構造部の後方に延ばされて形成され、線材が横方向に屈曲して張り出した形状を有する構造としてもよい。固定部は、必ずしも線材が連続した構造を有する必要はない。切断箇所を有して不連続である場合でも、各固定部をルアー本体に固定した状態で、フック連結部材が上述の形態に構成されればよい。
【００１２】
好ましくは、連結部は、部分環を含む面がルアー本体の前後方向に平行または直交するように配置される。
【００１３】
以上のように本願において環状とは、円環に限らず、長円環、楕円環等の曲線により構成される場合、あるいは、三角形、四角形等の多角形により構成される場合等、どのような形状であれループ状の構造を含むことを意味する。
【００１４】
以下に、図面を参照してさらに具体的な実施の形態について説明する。
【００１５】
（実施の形態１）
実施の形態１におけるルアーについて、図１を参照して説明する。全体が小魚の形をしたルアー１は、魚の胴体部分に相当するルアー本体２と、水を切るために先端部に形成されているリップ３とを有する。リップ３の根元部には、釣り糸を接続するための釣糸接続用環部４が固定されている。ルアー本体２のほぼ中央の腹の位置と尾の位置には、フック連結部材５、６が固定されている。三本針（錨針）からなるフック７、８に設けられた環状部が、各々、フック連結部材５、６に連結されている。フック連結部材５、６は、ルアー本体２に固定された固定部９と、フック７、８の環状部と連結可能なようにルアー本体２から露出した連結部１０とを備える。なお、ルアー本体２は、全体が小魚の形をしていることは本発明にとって本質的な要件ではなく、海老や昆虫等、どのような形状であってもよい。リップ３を有することも本質的な要件ではなく、リップ３のない構造にも本発明は適用可能である。
【００１６】
フック連結部材５の構造が、図２および図３に詳細に示される。フック連結部材６の構造も同様である。図２はフック連結部材５の斜視図である。図３（ａ）はフック連結部材５の平面図、図３（ｂ）は側面図、図３（ｃ）は正面図である。  フック連結部材５は、全体としては金属線材により形成された概略８の字状の形状を有する。その一方の環状構造が固定部９を形成し、他方の環状構造が連結部１０を形成している。固定部９においては金属線材は連続している。固定部９の環状構造から分岐して、一対の直線状の中間部１１が形成され、中間部１１の他端から一対の金属線材が環状構造をなし連結部１０を形成している。したがって、連結部１０では金属線材が一対の円弧部１０ａ、１０ｂに分離しており、各々別個の先端をなしている。
【００１７】
一対の円弧部１０ａ、１０ｂは、先端部が相互に重なり合った二重構造部を含む。この二重構造部が、フック７を容易に取り付けるための機能を提供する。すなわち、取り付けの際には、一方の円弧部１０ａの先端と他方の円弧部１０ｂの間隔を広げる。その隙間を通して、フック７の環状部を連結部１０の環状構造内に挿入させることができ、それによりフック７と連結部１０とを係合させる。
【００１８】
図１に示されるように、ルアー本体２におけるフック連結部材５が固定された部分には、従来のルアーと同様、固定部９を固定するための固定孔１２が形成されている。すなわち、ルアー本体２は、左右に分割された樹脂製の半体を組み合わせて形成され、いずれか一方の半体もしくは両方の半体の合わせ面に、固定部９に対応した凹部が形成されている。その凹部に固定部９を挟み込んで両半体を合体させることにより、固定部９が凹部内に確保された状態になる。
【００１９】
フック連結部材５の寸法の一例は、図３（ａ）に示す長さＬが９．５ｍｍ、環状部の内径ｒが１．０８ｍｍ、外形Ｒが１．８８ｍｍである。連結部１０における、円弧部１０ａ、１０ｂの端部が形成する二重構造部が、環状構造の中心軸を見込んでなす角度θは約１５０°である。この二重構造部が環状構造の中心軸を見込んでなす角度θは、４０°〜３００°の範囲とすることが望ましい。その範囲であれば、フック取り付けが容易で、しかもフックとの連結を確実に保持可能である。
【００２０】
図１においては、フック連結部材５は、連結部１０の環状構造を含む面が、ルアー本体２の前後方向に平行になるように取り付けられている。これに対して、図４に示すように配置してもよい。図４の構造では、連結部１０の環状構造を含む面がルアー本体２の前後方向に直交するように、フック連結部材５が取り付けられている。なお、図４では固定部９も、その環状構造を含む面がルアー本体２の前後方向に直交する構造となっているが、これに限定されることはない。例えば、固定部９と連結部１０の各環状構造を含む面がが互いに直交するように、フック連結部材５を中央部分で捻った構造にすれば、連結部１０が図４の状態でありながら、固定部９を図１と同様の状態に固定することが可能である。
【００２１】
（実施の形態２）
実施の形態２におけるルアーについて、図５および６を参照して説明する。本実施の形態では、図５に示すフック連結部材の構造が、実施の形態１の場合と相違する。このフック連結部材は、全体としては金属線材により形成された概略Ω字状の形状を有し、その環状部が連結部を形成し、その脚部が固定部を形成している。
【００２２】
具体的には、フック連結部材は金属線材により形成された一対の連結部材半体５ａ、５ｂからなり、両者を例えば金属ろうからなる接合材１３で接合して一体化した構造を有する。連結部１０は実施の形態１と同様の形状であり、一対の円弧部１０ａ、１０ｂが、先端部を相互に重なり合わせた二重構造部を含む環状構造をなしている。固定部を形成する脚部１４ａ、１４ｂは、連結部１０の両側に張り出している。
【００２３】
このフック連結部材は、図６に示すように、ルアー本体２に取り付けられる。すなわち、ルアー本体２には、脚部１４ａ、１４ｂに対応する形状の固定孔１５が設けられ、フック連結部材の脚部１４ａ、１４ｂが固定孔１５に挟み込まれ、確保されている。一対の連結部材半体５ａ、５ｂは、必ずしも互いに接合されている必要はなく、個別にルアー本体２に取り付けられて、その取り付け後に連結部１０を形成するように構成することも可能である。
【００２４】
本実施の形態の構造の場合も、実施の形態１において述べたように、連結部１０の環状構造を含む面の向きは、ルアー本体２の前後方向と平行あるいは直交するように設定することが望ましい。
【００２５】
フック連結部材は、以上の実施の形態に示された形状以外にも、図７〜９に示すように、様々な形状に構成することができる。図７、８は、連結部１０について異なる形状の例をしめす。図９は、固定部９について異なる形状の例をしめす。図７〜９に示される、フック連結部材を構成する異なる形状の連結部１０および固定部９の組み合わせは一例であり、用途に応じて、連結部１０および固定部９の形状をどのように組み合わせてもよい。
【００２６】
図７（ａ）のフック連結部材では、連結部１０が円環の一部の形状を有する。固定部９は、連結部１０を形成する線材が二重構造部の後方に延ばされて形成され、円環の一部を形成するように連続している。フック連結部材全体としては長円形である。図７（ｂ）では、連結部１０が楕円環の一部の形状を有し、全体としても楕円環形状である。図７（ｃ）では、連結部１０が矩形の一部の形状を有する。図７（ｄ）は、連結部１０の二重構造部が、図７（ｃ）の場合よりも長い形状を示す。図７（ｅ）では、連結部１０の二重構造部に、部分環の形状から外方に突出した突出部１６を有する。すなわち、環の内側に小さな凹部が形成され、ここにフックが位置決めされる。
【００２７】
図７（ｅ）の突出部１６のように環の外方に突出させる代わりに、図８に示すように突出する突出部１７を設けてもよい。図８（ａ）はフック連結部材の平面図、（ｂ）は側面図である。突出部１７は、環状構造の横方向に突出、すなわち、環状構造を含む平面から突出している。それにより、環の側部に凹部が形成され、ここにフックが位置決めされる。
【００２８】
図７、８に示す連結部１０のいずれの形状についても、固定部９として、図９に示すいずれかの形状を組み合わせることができる。あるいは、図示されていない他の形状と組み合わせてもよい。
【００２９】
図９（ａ）のフック連結部材では、固定部９が矩形の一部の形状を有する。図９（ｂ）では、固定部９が横方向に屈曲して張り出した形状を有する。図９（ｃ）には、固定部９が図９（ａ）と同様に矩形であり、連結部１０も矩形で、連結部１０の矩形の方が若干寸法が大きい場合が示される。図９（ｄ）には、固定部９が円環状であり、連結部１０が楕円環状で、固定部９の方が若干寸法が大きい場合が示される。図９（ｅ）には、固定部９が矩形であり、連結部１０が楕円環状である場合が示される。
【００３０】
図７〜９には、固定部９が１本の連続した線材により形成されている場合を図示したが、固定部９が切断箇所を有して不連続になっている構造とすることも可能である。その場合、フック連結部材は２個の部片に分離されるが、各部片をそれぞれルアー本体に固定し、その状態で図示した形状が構成されればよい。切断箇所には、切断端部間に間隙を有する構造、あるいは連結部のように二重構造部を形成する構造のいずれを用いることも可能である。
【００３１】
なお、以上の実施の形態では、フック連結部材はルアー本体２のほぼ中央の腹の位置と尾の位置にそれぞれ取り付けられた構造が示されたが、これに限られない。すなわち上述の各実施の形態の構成は、１個または複数個のフック連結部材が他の形態で取り付けられた構造にも適用可能である。
【００３２】
【発明の効果】
本発明のルアーによれば、スプリットリングを用いることなくフックを取り付けることが可能であり、水の抵抗が軽減され、しかもフックの脱着が容易である。
【図面の簡単な説明】
【図１】実施の形態１におけるルアーの側面図
【図２】図１のルアーを構成するフック連結部材を示す斜視図
【図３】（ａ）は図２のフック連結部材の平面図、（ｂ）は側面図、（ｃ）は正面図
【図４】実施の形態１におけるルアーの変形例を示す側面図
【図５】実施の形態２におけるルアーを構成するフック連結部材を示す平面図
【図６】同フック連結部材のルアーに対する取り付け構造を示す側面図
【図７】本発明の実施の形態におけるフック連結部材の形状の例を示す斜視図
【図８】本発明の実施の形態におけるフック連結部材の形状の例を示す斜視図
【図９】本発明の実施の形態におけるフック連結部材の形状の例を示す斜視図
【図１０】従来例のルアーの側面図
【符号の説明】
１、２１  ルアー
２、２２  ルアー本体
３、２３  リップ
４、２４  釣糸接続用環部
５、６  フック連結部材
５ａ、５ｂ
７、８、２７、２８  フック
９  固定部
１０  連結部
１０ａ、１０ｂ  円弧部
１１  中間部
１２  固定孔
１３  接合材
１４ａ、１４ｂ  脚部
１５  固定孔
１６、１７  突出部
２５、２６  フック接続用環部
２９  環状部
３０  スプリットリング
【図１】
2004305053.tif 000003
【図２】
2004305053.tif 000004
【図３】
2004305053.tif 000005
【図４】
2004305053.tif 000006
【図５】
2004305053.tif 000007
【図６】
2004305053.tif 000008
【図７】
2004305053.tif 000009
【図８】
2004305053.tif 000010
【図９】
2004305053.tif 000011
【図１０】
2004305053.tif 000012